(57)【要約】      （修正有）【課題】加熱或いは冷却された流体を通過させる配管の途中に設けられるバタフライバルブなどのバルブやフランジの他にエルボ、チーズにも応用でき、表面をカバーする、着脱が容易で且つ断熱効果の優れた屋内・屋外用外装カバーを提供する。【解決手段】本屋内・屋外用外装カバーは、蝶番１により連結され、係止受具２及び係止金具３により開閉自在とされた上部半筒部４と下部半筒部５とから成り、上部半筒部４は、半円筒状の外周板６と、半円環状の前側板７及び後側板８と、断面Ｌ字状の内周板とからなり、同様に、下部半筒部５は、半円筒状の外周板６と、半円環状の前側板７及び後側板８と、断面Ｌ字状の内周板とからなる。また、上部半筒部４及び下部半筒部５には、外周板６、前側板７及び後側板８、内周板で囲まれる内側空間に断熱材１０が内蔵される。【選択図】図１
0003155342.tif 000002
【実用新案登録請求の範囲】
【請求項１】
蝶番により連結され、開閉自在とされた上部半筒部と下部半筒部とから成り、前記上部半筒部は、半円筒状の外周板と、該外周板の前後の端部に連結された半円環状の前側板及び後側板と、該半円環状の前側板及び後側板の内周縁に接続される断面Ｌ字状の内周板とからなり、同様に、前記下部部半筒部は、半円筒状の外周板と、該外周板の前後の端部に連結された半円環状の前側板及び後側板と、該半円環状の前側板及び後側板の内周縁に接続される断面Ｌ字状の内周板とから構成されてなり、前記上部半筒部及び前記下部半筒部には、外周板、前側板及び後側板、内周板で囲まれる内側空間に断熱材が内接されることを特徴とする屋内・屋外用外装カバー。
【請求項２】
前記上部半筒部及び下部半筒部が蝶番を介して閉じられる時に円筒体の内側となる内周板表面には、それぞれクッション材が貼着されることを特徴とする請求項１記載の屋内・屋外用外装カバー。
【考案の詳細な説明】
【技術分野】
【０００１】
本考案は、加熱或いは冷却された流体を通過させる配管の途中に設けられるバタフライバルブなどのバルブやフランジの他にエルボ、チーズにも応用できる、表面をカバーする屋内・屋外用外装カバーに関する。
【背景技術】
【０００２】
従来、配管のバルブやフランジを被覆している断熱材の表面に、簡単かつ容易に、しかも綺麗な状態で装着する表面断熱カバーが知られている（特許文献１を参照）。
この公知技術は、板紙に表面シートを接着してなるシート材で形成し、断熱材で被覆されるバルブやフランジの外周表面を被覆する筒状に形成された筒部と、この筒部の両端面を閉塞する端面閉塞部とを有し、前記筒部は被着するときに開くことができるように、縦に分離してなる複数の分割筒部で構成され、複数の分割筒部は隣接する分割筒部との境界に位置する連結側縁部を互いにラップさせて、連結側縁部の境界に沿ってその外側表面に粘着層のある外装シールを付着している表面断熱カバーである。
【０００３】
また、ワンタッチで簡単且つ確実に着脱作業を行うことができ、バルブ前後の断熱材も抱持固定することができ、構造がシンプルで安価に量産できるバルブカバー装置が知られている（特許文献２を参照）。
この公知技術は、バルブを両側から包囲する双方の半筒状カバーの片側縁同士を蝶番等で開閉自在に連結し、一方の半筒状カバーの反対側縁に被係合具を設けると共に、他方の半筒状カバーの反対側縁に、上記被係合具と係合して双方の半筒状カバーの閉じる係合具を設け、そして双方の半筒状カバーの反対側縁にバルブの突起部を外部へ突出させる切欠部を対向させて形成し、双方の半筒状カバーの軸方向両端に半環状の断熱材抱持片を形成しているバルブカバー装置である。
【先行技術文献】
【特許文献】
【０００４】
【特許文献１】特開２００１−２００９８４号公報
【特許文献２】特開平１１−５１２３０号公報
【考案の概要】
【考案が解決しようとする課題】
【０００５】
本考案は、加熱或いは冷却された流体を通過させる配管の途中に設けられるバタフライバルブなどのバルブやフランジの他にエルボ、チーズにも応用でき、表面をカバーする、着脱が容易で且つ断熱効果の優れた屋内・屋外用外装カバーを提供することを目的とする。
【課題を解決するための手段】
【０００６】
本考案の屋内・屋外用外装カバーは、蝶番により連結され、開閉自在とされた上部半筒部と下部半筒部とから成り、前記上部半筒部は、半円筒状の外周板と、該外周板の前後の端部に連結された半円環状の前側板及び後側板と、該半円環状の前側板及び後側板の内周縁に接続される断面Ｌ字状の内周板とからなり、同様に、前記下部部半筒部は、半円筒状の外周板と、該外周板の前後の端部に連結された半円環状の前側板及び後側板と、該半円環状の前側板及び後側板の内周縁に接続される断面Ｌ字状の内周板とから構成されてなる。
前記上部半筒部及び前記下部半筒部には、外周板、前側板及び後側板、内周板で囲まれる内側空間に断熱材が内接される。
前記上部半筒部及び下部半筒部が蝶番を介して閉じられる時に円筒体の内側となる内周板表面には、それぞれクッション材が貼着される。
【考案の効果】
【０００７】
本考案の屋内・屋外用外装カバーは、上部半筒部及び前記下部半筒部には、外周板、前側板及び後側板、内周板で囲まれる内側空間に断熱材が内接され、且つ前記上部半筒部及び下部半筒部が蝶番を介して閉じられる時に円筒体の内側となる内周板表面には、それぞれクッション材が貼着されているため、ワンタッチで取り付け取り外しが容易で且つ断熱効果が優れている。
【図面の簡単な説明】
【０００８】
【図１】本考案の屋内・屋外用外装カバーの展開状態を示す斜視図である。
【図２】上部半筒部のクッション材を破断した状態の中央縦断面図である。
【図３】図２の矢視Ａ部を右側方から見た拡大部分説明図である。
【図４】図２の矢視Ｂ部の拡大部分断面図である。
【図５】本考案の屋内・屋外用外装カバーの使用状態を示す説明図である。
【考案を実施するための形態】
【０００９】
本考案の屋内・屋外用外装カバーの一実施例を添付図面に基づいて、以下に説明する。
図１の展開斜視図に示すように、本考案の屋内・屋外用外装カバーは、蝶番１により連結され、係止受具２及び係止金具３により開閉自在とされた上部半筒部４と下部半筒部５とから成り、前記上部半筒部４は、半円筒状の外周板６と、該外周板６の前後の端部に連結された半円環状の前側板７及び後側板８と、該半円環状の前側板７及び後側板８の内周縁に接続される断面Ｌ字状の内周板９とからなり、同様に、前記下部部半筒部５は、半円筒状の外周板６と、該外周板６の前後の端部に連結された半円環状の前側板７及び後側板８と、該半円環状の前側板７及び後側板８の内周縁に接続される断面Ｌ字状の内周板９とからなる。
また、前記上部半筒部４及び下部半筒部５には、前記外周６板、前側板７及び後側板８、内周板９で囲まれる内側空間に断熱材１０が内蔵される。
そして、前記上部半筒部４及び下部半筒部５が蝶番１を介して閉じられる時に円筒体の内側となる個所、すなわち内周板９表面には、それぞれクッション材１１が貼着される。
【００１０】
前記上部半筒部４の前側板７及び後側板８を縦に通過するように切断した図２の中央縦断面図に示すように、前側板７及び後側板８の内側及び外周板９の内側にそれぞれ断熱材１０が装着され、さらに内周板９の表面にはクッション材１１が貼着される。したがって、図１に示す展開図では、前記上部半筒部４及び下部半筒部５を閉じられた時に重合する部分及び図示していない配管に接触する部分にクッション材１１が貼着される。
図３の図２矢視Ａ部の拡大説明図に示すように、前側板７の内側に沿って断面Ｌ字状の内周板９が固定されるが、前記前側板７の内周湾曲部に沿うように固定するため、内周板９の側板に切込みを入れて短冊片１２を形成し、該短冊片１２を拡げて前記前側板７に固定される。
そして、前記内周板９の表面に沿って、前記内周板９と同一幅のクッション材１１が貼着される。
なお、前記後側板８にも同様にして前記内周板９及びクッション材１１が固定される。
前記下部半筒部５も図３と同様である。
【００１１】
図４の図２矢視Ｂ部の拡大部分断面図に示すように、外周板６と後側板８との固定は、外周板６の端縁を折り曲げて後側板８との係合部１３を形成し、該係合部１３に前記後側板８を差し込み、両者を係合させてカシメを行って固定する。本実施例では、係合部１３をカシメにより固定したが、溶接等により行うこともできる。
前記後側板８と前記内周板９との固定は、前述したように前記内周板９の側板に切込みを入れて短冊片１２を形成し、該短冊片１２を拡げて前記後側板８に溶接等により固定されるし、前記内周板９の表面に沿って、前記内周板９と同一幅のクッション材１１が貼着される。
前記外周板６、前側板７及び後側板８、内周板９で囲まれる内側空間に内蔵される断熱材１０は、発泡スチロール、ウレタン、パーライト等より作製される。
【００１２】
次に、本考案の屋内・屋外用外装カバーの操作動作を添付図面に基づいて、以下に説明する。
本考案の屋内・屋外用外装カバーを配管のフランジ部に装着する場合について説明する。
図５に示す配管のフランジ部をカバーする際には、図１の展開斜視図の状態で、下部半筒部５を配管のフランジ部に嵌合するように配置し、上部半筒部４をその上に被せるようにして配管のフランジ部を蓋う。
そして、係止金具３の引掛け金具を係止受具２に係合させて、固定レバーを引くことにより上部半筒部４と下部半筒部５を固定する。
前記上部半筒部４と下部半筒部５を固定することにより、配管のフランジ部は本考案の屋内・屋外用外装カバーの断熱材１０に囲まれて断熱されると共に、配管と接触する内周板９のクッション材１１により外気と触れることはなく、且つ前記上部半筒部４と下部半筒部５同士は互いに接触する内周板９のクッション材１１により密着されて断熱される。
また、本考案の屋内・屋外用外装カバーを取り外す場合には、係止金具３の固定レバーを開放することにより、簡単に図１に示す展開状態となり、本考案の屋内・屋外用外装カバーに断熱材１０が内接されているため、ワンタッチで取り外しができる。
【符号の説明】
【００１３】
１  蝶番
２  係止受具
３  係止金具
４  上部半筒部
５  下部半筒部
６  外周板
７  前側板
８  後側板
９  内周板
１０  断熱材
１１  クッション材
１２  短冊片
１３  係合部
【図１】
0003155342.tif 000003
【図２】
0003155342.tif 000004
【図３】
0003155342.tif 000005
【図４】
0003155342.tif 000006
【図５】
0003155342.tif 000007